(57)【要約】【課題】乳房の立体表示において、圧迫された乳房の厚みのバラツキによる奥行感の変化を低減させて観察者の疲労を低減させる。【解決手段】２枚の放射線画像ＧＬ，ＧＲの画像ファイルＧＦの付帯情報に基づいて、２つの撮影方向のなす角度θ’および乳房の厚みＤを取得し、立体表示された乳房Ｍを観察する際に、乳房Ｍ内の所望平面ＤＰが表示画面ＳＰの位置にあるとしてユーザが乳房Ｍを立体視するよう、所望平面ＤＰ、取得された２つの撮影方向のなす角度θ’および乳房の厚みＤ情報に基づいて２枚の放射線画像間の視差を調整して表示することで乳房Ｍを立体表示する。【選択図】図５
2012105954.tif 000002
【特許請求の範囲】
【請求項１】
圧迫された乳房に異なる２つの撮影方向から放射線を照射することで撮影された前記乳房の２枚の放射線画像を表示することにより、前記乳房を立体表示する表示部と、
前記２枚の放射線画像の画像ファイルに付帯された前記２つの撮影方向のなす角度に関する情報および前記乳房の厚みに関する情報に基づいて、前記２つの撮影方向のなす角度および前記乳房の厚みを取得する付帯情報取得手段と、
前記立体表示された前記乳房をユーザが観察する際に、該乳房の奥行方向の位置について該乳房内の所望平面が前記表示部の表示画面の位置にあるとして前記ユーザが前記乳房を立体視するよう、前記所望平面、前記取得された前記２つの撮影方向のなす角度および前記乳房の厚みに基づいて、前記２枚の放射線画像間の視差を調整する視差調整手段とを備えたことを特徴とする乳房画像表示装置。
【請求項２】
各前記ユーザに対してそれぞれの前記所望平面を記憶する記憶部を備え、
前記視差調整手段が、前記ユーザ毎に、前記記憶されている所望平面、前記取得された２つの撮影方向のなす角度および前記乳房の厚みに基づいて、前記２枚の放射線画像間の視差を調整することを特徴とする請求項１記載の乳房画像表示装置。
【請求項３】
前記所望平面が、前記乳房の手前側の圧迫平面、前記乳房の奥側の圧迫平面および前記手前側の圧迫平面と前記奥側の圧迫平面との中間平面のいずれかであることを特徴とする請求項１または２に記載の乳房画像表示装置。
【請求項４】
異なる２つの撮影方向から圧迫された乳房に放射線を照射することで撮影された前記乳房の２枚の放射線画像を表示することにより、前記乳房を立体表示する乳房画像の表示方法において、
前記２枚の放射線画像の画像ファイルに付帯された前記２つの撮影方向のなす角度に関する情報および前記乳房の厚みに関する情報に基づいて、前記２つの撮影方向のなす角度および前記乳房の厚みを取得する取得し、
ユーザが前記立体表示された乳房を観察する際に、該立体表示された乳房の奥行方向の位置について該乳房内の所望平面が前記表示部の表示画面の位置にあるとして前記ユーザが前記乳房を立体視するよう、前記所望平面、前記取得された２つの撮影方向のなす角度および前記乳房の厚み情報に基づいて前記２枚の放射線画像間の視差を調整し、
該視差の調整された２枚の放射線画像を表示することにより、前記乳房を立体表示することを特徴とする乳房画像表示方法。
【発明の詳細な説明】
【技術分野】
【０００１】
本発明は乳房の放射線画像の表示装置および表示方法に関する。より詳しくは、乳房の放射線画像を立体表示する表示装置および表示方法に関する。
【背景技術】
【０００２】
従来、視差を有する２枚の放射線画像を表示することにより、放射画像内の被写体を立体表示できることが知られている。また、特許文献１には、２枚の放射線画像の視差を調整することにより、立体表示された被写体を観察する際の奥行感を調整する技術が提案されている。
【０００３】
この立体表示は、乳房の放射線画像にも利用されている。立体表示可能な２枚の乳房の放射線画像は、異なる２つの撮影方向から圧迫された乳房に放射線を照射し、乳房を通した放射線を放射線検出器が検出し、放射線検出器の検出信号に基づいて生成される。
【０００４】
そして、この２枚の放射線画像を用いて乳房を立体視すると、観察者は、放射線検出器の検出面の位置が表示画面の位置にあるような奥行感、すなわち撮影方向において奥側の乳房の圧迫平面が略表示画面の位置にあるような奥行感で乳房を立体視できる。
【先行技術文献】
【特許文献】
【０００５】
【特許文献１】特開平３−１４１９３２
【発明の概要】
【発明が解決しようとする課題】
【０００６】
しかしながら、放射線検出器の検出面の位置が表示画面の位置にあるような奥行感で表示された乳房を観察者が立体視し続けると、乳房の表示画面からの飛び出し量が大きく、観察者の疲労が増加する虞がある。このため、放射線画像間の視差を調整して乳房の表示画面からの飛び出し量が所定量だけ小さくなるよう、乳房の奥行感を調整した場合であっても、圧迫された乳房の厚みは乳房毎に異なるため、厚みの大きい乳房の奥行感はあまり変化せず、厚みの小さい乳房の奥行感は大きく変化してしまい、やはり観察者の疲労が増加する。
【０００７】
本発明の目的は、上記事情に鑑み、圧迫された乳房の厚みのバラツキによる奥行感の変化を低減させて観察者の疲労を低減できる乳房画像表示装置および乳房画像表示方法を提供する。
【課題を解決するための手段】
【０００８】
上記課題を解決するために、本発明による乳房画像撮影装置は、圧迫された乳房に異なる２つの撮影方向から放射線を照射することで撮影された乳房の２枚の放射線画像を表示することにより、乳房を立体表示する表示部と、２枚の放射線画像の画像ファイルに付帯された２つの撮影方向のなす角度に関する情報および乳房の厚みに関する情報に基づいて、２つの撮影方向のなす角度および乳房の厚みを取得する付帯情報取得手段と、立体表示された乳房をユーザが観察する際に、この乳房の奥行方向の位置についてこの乳房内の所望平面が表示部の表示画面の位置にあるとしてユーザが乳房を立体視するよう、所望平面、取得された２つの撮影方向のなす角度および乳房の厚みに基づいて、２枚の放射線画像間の視差を調整する視差調整手段とを備えたことを特徴とする。
【０００９】
また、本発明による乳房画像表示方法は、異なる２つの撮影方向から圧迫された乳房に放射線を照射することで撮影された乳房の２枚の放射線画像を表示することにより、乳房を立体表示する乳房画像表示方法において、２枚の放射線画像の画像ファイルに付帯された２つの撮影方向のなす角度に関する情報および乳房の厚みに関する情報に基づいて、２つの撮影方向のなす角度および乳房の厚みを取得する取得し、ユーザが立体表示された乳房を観察する際に、この立体表示された乳房の奥行方向の位置についてこの乳房内の所望平面が表示部の表示画面の位置にあるとしてユーザが乳房を立体視するよう、所望平面、取得された２つの撮影方向のなす角度および乳房の厚み情報に基づいて２枚の放射線画像間の視差を調整し、この視差の調整された２枚の放射線画像を表示することにより、乳房を立体表示することを特徴とする。
【００１０】
ここで、本発明による乳房画像表示装置および乳房画像表示方法における「２つの撮影方向のなす角度に関する情報」とは、２つの撮影方向のなす角度の情報だけを意味するものではなく、２つの撮影方向のなす角度を算出可能な情報、たとえば、各撮影方向と所定方向とのなす角度等を含む情報を意味する。また、上記「乳房の厚みに関する情報」も、乳房の厚み情報だけを意味するものではなく、乳房の厚みが算出可能な情報、たとえば、乳房を圧迫する圧迫板の位置情報等を含む情報を意味する。
【００１１】
また、本発明による乳房画像表示装置は、各ユーザに対してそれぞれの所望平面を記憶する記憶部を備え、視差調整手段が、ユーザ毎に、記憶されている所望平面、取得された２つの撮影方向のなす角度および乳房の厚みに基づいて、２枚の放射線画像間の視差を調整するものであってもよい。
【００１２】
また、本発明による乳房画像表示装置における所望平面は、乳房の手前側の圧迫平面、乳房の奥側の圧迫平面および手前側の圧迫平面と奥側の圧迫平面との中間平面のいずれかであってもよい。
【発明の効果】
【００１３】
本発明の乳房画像表示装置および乳房画像表示方法によれば、２枚の放射線画像の画像ファイルに付帯された２つの撮影方向のなす角度に関する情報および乳房の厚みに関する情報に基づいて、２つの撮影方向のなす角度および乳房の厚みを取得する取得し、ユーザが立体表示された乳房を観察する際に、この立体表示された乳房の奥行方向の位置についてこの乳房内の所望平面が表示部の表示画面の位置にあるとしてユーザが乳房を立体視するよう、所望平面、取得された２つの撮影方向のなす角度および乳房の厚み情報に基づいて２枚の放射線画像間の視差を調整し、この視差の調整された２枚の放射線画像を表示することで乳房を立体表示することにより、観察者が、圧迫された乳房の厚みに対応させた乳房内の所望平面が表示画面の位置にあるとして乳房を立体視でき、圧迫された乳房の厚みによる奥行感の変化を低減させて観察者の疲労を軽減できる。
【図面の簡単な説明】
【００１４】
【図１】乳房画像撮影表示システムの概略構成図
【図２】乳房画像撮影装置の一部正面図
【図３】乳房画像表示装置のコンピュータの内部構成図
【図４】乳房画像表示装置のモニタの表示を示す図
【図５】立体表示された乳房の奥行方向の位置を示す模式図
【図６】２枚の放射線画像上の位置と検出面１５ａ上の位置との関係図
【図７】本実施形態において行われる処理を示すフローチャート
【発明を実施するための形態】
【００１５】
以下、図面を参照して本発明の実施形態について説明する。図１は本発明の実施形態による乳房画像表示装置を用いた乳房画像撮影表示システムの概略構成図である。図１に示すように、乳房画像撮影表示システム１は、乳房画像撮影装置１０および乳房画像表示装置４０から構成される。
【００１６】
乳房画像撮影装置１０は、圧迫された乳房Ｍに異なる２つの撮影方向から放射線を照射して２枚の放射線画像ＧＬ，ＧＲを取得し、この２枚の放射線画像ＧＬ，ＧＲの放射線画像ファイルＧＦを乳房画像表示装置４０からの画像配信要求に応じて、乳房画像表示装置４０に配信する。そして、乳房画像表示装置４０は、２枚の放射線画像ＧＬ，ＧＲを表示することにより、乳房Ｍを立体表示する。
【００１７】
図１および図２を用いて乳房画像撮影装置１０について説明する。図２は乳房画像撮影装置１０の正面図の一部を示す。乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。
【００１８】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００１９】
撮影台１４の内部には、フラットパネルディテクタ等の放射線検出器１５と、放射線検出器１５からの電荷信号の読み出しを制御する検出器コントローラ３３が備えられている。また、放射線検出器１５の検出面１５ａは撮影台１４の表面１４ａから所定長ｄだけ奥に存在する。
【００２０】
また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡＤ変換部などが設けられた回路基板なども設置されている。
【００２１】
また、撮影台１４はアーム部１３に対し回転可能に構成されており、基台１１に対してアーム部１３が回転した時でも、撮影台１４の向きは基台１１に対し固定された向きとなる。
【００２２】
放射線検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。
【００２３】
また、放射線画像信号の読出方式としては、ＴＦＴ（thin film transistor）スイッチをオン・オフされることによって放射線画像信号が読み出される、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２４】
放射線照射部１６の内部には放射線源１７と、放射線源コントローラ３２が収納されている。放射線源コントローラ３２は、放射線源１７から放射線を照射するタイミングと、放射線源１７における放射線発生条件（管電流（ｍＡ）、照射時間（ｍｓ）、管電流時間積（ｍＡｓ）、管電圧（ｋＶ）等）を制御するものである。
【００２５】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００２６】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、乳房画像撮影装置１０の全体の制御を行うものである。
【００２７】
制御部３０は、２つの異なる撮影方向からの撮影によって放射線検出器１５によって検出された２枚の放射線画像ＧＬ，ＧＲを記録する。また、制御部３０は、２つの撮影方向のなす角度θ’に関する情報および圧迫板コントローラ３４から圧迫された乳房の厚みＤに関する情報を取得する。本実施形態では、制御部３０は、各撮影方向が放射線検出器１５の検出面１５ａと垂直な方向となす撮影角度θと圧迫板１８の位置Ｐの情報を取得する。
【００２８】
制御部３０は、撮影角度θおよび圧迫板１８の位置Ｐを用いて、２つの撮影方向がなす角度θ‘と乳房の厚みＤを算出する。そして、制御部３０は、画像ファイルＧＦに２枚の放射線画像ＧＬ，ＧＲを格納するとともに、画像ファイルＧＦのヘッダに２つの撮影方向がなす角度θ‘と乳房の厚みＤを記述する。そして、制御部３０は、乳房画像表示装置４０の配信要求に応じて、画像ファイルＧＦを乳房画像表示装置４０に送信するものである。
【００２９】
制御部３０に接続された入力部３０ａは、たとえば、キーボードやマウス等のポインティングデバイスから構成されるものであり、撮影者による撮影方向毎の撮影角度θ等を含む撮影条件等の入力や撮影開始指示の入力等を受け付けるものである。
【００３０】
次に乳房画像撮影装置１０の作用について説明する。まず、撮影台１４の上に乳房Ｍが設置され、圧迫板１８により乳房Ｍが所定の圧力によって圧迫される。そして、入力部３０ａにおいて、撮影者による撮影の指示が入力されて撮影が開始する。
【００３１】
制御部３０は撮影角度θを読み出し、読み出した撮影角度θの情報をアームコントローラ３１に出力する。ここで、撮影角度θは、図２に示すように、撮影方向が放射線検出器１５の検出面１５ａに対して垂直な方向とのなす角度である。図２示すように、時計回りを正方向、反時計回りを負方向とする。なお、本実施形態においては、撮影時の撮影角度θは撮影角度θ＝＋２°と撮影角度θ＝−２°の組み合わせがデフォルトとして設定されているものとするが、この組み合わせは特に限定されるものではない。
【００３２】
そして、アームコントローラ３１が、制御部３０から出力された撮影角度θ＝＋２°の情報を受け付け、図２に示すような、アーム部１３が検出面１５ａに垂直な方向に対して＋２°傾いた状態となる制御信号を出力する。アームコントローラ３１から出力された制御信号に応じてアーム部１３が＋２°傾いた状態において、制御部３０は、放射線源コントローラ３２および検出器コントローラ３３に対して放射線の照射と放射線画像ＧＬの読み出しを行うよう制御信号を出力する。
【００３３】
この制御信号に応じて、放射線源１７から放射線が照射され、乳房を撮影角度θが＋２°である撮影方向から撮影した放射線が放射線検出器１５によって検出され、検出器コントローラ３３によって放射線検出器１５から放射線画像信号が読み出される。その放射線画像信号に対して所定の信号処理が施された後、制御部３０が放射線画像ＧＬを記憶する。
【００３４】
次にアームコントローラ３１は、制御部３０から出力された撮影角度θ＝−２°の情報を受け付け、図２に示すような、アーム部１３が検出面１５ａに垂直な方向に対して−２°傾いた状態となる制御信号を出力する。アームコントローラ３１から出力された制御信号に応じてアーム部１３が−２°傾いた状態において、制御部３０は、放射線源コントローラ３２および検出器コントローラ３３に対して放射線の照射と放射線画像ＧＲの読み出しを行うよう制御信号を出力する。
【００３５】
この制御信号に応じて、放射線源１７から放射線が照射され、乳房を撮影角度θが−２°である撮影方向から撮影した放射線が放射線検出器１５によって検出され、検出器コントローラ３３によって放射線検出器１５から放射線画像信号が読み出される。その放射線画像信号に対して所定の信号処理が施された後、制御部３０が放射線画像ＧＲを記憶する。
【００３６】
制御部３０は、各撮影角度θ＝±２°の情報から２つの撮影方向がなす角度θ’が４°であることを算出するとともに、圧迫板１８の位置Ｐから乳房Ｍの厚みＤを算出する。そして、制御部３０は、２枚の放射線画像ＧＬ，ＧＲを画像ファイルＧＦに格納するとともに、画像ファイルＧＦのヘッダに２つの撮影方向のなす角度θ’と乳房Ｍの厚みＤを記述する。制御部３０は、乳房画像表示装置４０の配信要求に応じて、画像ファイルＧＦを乳房画像表示装置４０に送信する。
【００３７】
次に乳房画像表示装置４０について説明する。乳房画像表示装置４０は、コンピュータ４１と、２枚の放射線画像ＧＬ，ＧＲを表示するモニタ４２とを備える。コンピュータ４１には、本実施形態による放射線画像表示として機能させるためのプログラムがインストールされている。
【００３８】
コンピュータ４１は、中央処理装置（ＣＰＵ）および半導体メモリやハードディスクやＳＳＤ等のストレージデバイス等を備えており、これらのハードウェアによって、図３に示すような制御部４３、付帯情報取得部４４、記憶部４５、視差調整部４６および表示制御部４７を構成している。
【００３９】
制御部４３は、乳房画像撮影装置１０から画像ファイルＧＦを受信するとともに、コンピュータ４１の全体の制御を行うものである。
【００４０】
付帯情報取得部４４は、乳房画像撮影装置１０から配信された画像ファイルＧＦから２つの撮影方向のなす角度θ’と乳房の厚みＤの情報を取得するものである。なお、本実施形態では、画像ファイルＧＦに２つの撮影方向のなす角度θ’と乳房の厚みＤが記述されているが、画像ファイルＧＦに各撮影角度θと圧迫板１８の位置Ｐが記載されている場合には、付帯情報取得部４４が、各撮影角度θと圧迫板１８の位置Ｐの情報から２つの撮影方向のなす角度θ’と乳房の厚みＤの情報を算出して取得するものであってもよい。
【００４１】
記憶部４５は、各ユーザに対してそれぞれの所望平面ＤＰを記憶するものである。ここで、所望平面ＤＰとは、立体表示された乳房Ｍをユーザが観察する際に、モニタ４２の表示画面ＳＰの位置にあるとしてユーザが視認する乳房Ｍ内の平面のことである。
【００４２】
視差調整部４６は、立体表示された乳房Ｍをユーザが観察する際に、乳房Ｍの奥行方向の位置について、所望平面ＤＰがモニタ４２の表示画面ＳＰの位置にあるとしてユーザが認識するよう、所望平面ＤＰの位置、２つの撮影方向のなす角度θ’および乳房の厚みＤに基づいて、２枚の放射線画像間の視差を調整するものである。なお、所望平面ＤＰの位置について後述する。
【００４３】
表示制御部４７は、視差調整部４６で視差が調整された２枚の放射線画像ＧＬ，ＧＲを表示するよう、モニタ４２を制御するものである。
【００４４】
モニタ４２は、図４に示すように、２枚の放射線画像ＧＬ，ＧＲを表示することにより、乳房Ｍを立体表示するものである。
【００４５】
モニタ４２は、立体表示の際に、２枚の放射線画像ＧＲ，ＧＬを交互に切り替えて表示する。この切り換え周期は、たとえば（１／数十秒）程度である。観察者は立体視眼鏡をかけて３次元画像Ｇ３を立体視する。立体視眼鏡は、右目用部分および左目用部分に、互いに独立して開閉する液晶シャッタ等からなるシャッタが組み込まれたものである。
【００４６】
表示制御部４７により、立体視眼鏡は、放射線画像ＧＬが表示されている期間は左目用部分が開で右目用部分が閉、反対に放射線画像ＧＲが表示されている期間は右目用部分が開で左目用部分が閉となるように、２枚の放射線画像ＧＬ，ＧＲの切り換えの周期と同期させて開閉制御される。これにより、立体視眼鏡をかけた観察者がモニタ４２を観察すると、右目には放射線画像ＧＲが見え、左目には放射線画像ＧＬが見える状態となるので乳房Ｍの立体視が可能となる。
【００４７】
立体表示するための構成は、上記の構成に限定されるものではなく、たとえば、２つの画面を用いて２枚の放射線画像ＧＬ，ＧＲをそれぞれ表示させて、これらをハーフミラーや偏光グラス等を用いることで放射線画像ＧＲを観察者の右目に入射させ、放射線画像ＧＬを観察者の左目に入射させることによって乳房Ｍを立体表示する構成を採用してもよい。
【００４８】
モニタ４２は、図４に示すように、立体表示された乳房Ｍは胸壁が水平となるように表示される。また、モニタ４２には、２枚の放射線画像ＧＬ、ＧＲとともに、読影レポートＲや、ポインタＰ等が表示される。
【００４９】
視差調整部４６による２枚の放射線画像の視差調整について説明する。図５は立体表示された乳房Ｍの奥行方向の位置を示す模式図である。視差調整を行わないで２枚の放射線画像ＧＬ，ＧＲをモニタ４２に表示すると、図５の上図に示すように、乳房Ｍは撮影台１４の表面１４Ａと検出面１５Ａとの間の所定長ｄ（図１）だけモニタ４２の表示画面ＳＰから飛び出した状態で立体表示される。これは２枚の放射線画像ＧＬ，ＧＲは、デフォルト状態において、両画像間の視差が０となるクロスポイントＣＰが存在する所望平面ＤＰが検出面１５Ａ（図１）上になるように撮影されたものだからである。
【００５０】
この２枚の放射線画像ＧＬ，ＧＲを図中矢印Ａ、Ｂ方向にシフトさせると、図５の下図が示すように、２枚の放射線画像ＧＬ，ＧＲの視差が調整されて、乳房Ｍがデフォルト状態の位置から後方へ移動した状態、すなわち所望平面ＤＰが乳房Ｍ内に移動した状態で乳房Ｍが立体表示される。所望平面ＤＰの移動量に対応した２枚の放射線画像ＧＬ，ＧＲのシフト量は、２枚の放射線画像ＧＬ，ＧＲが撮影された各撮影方向のなす角度から算出できる。
【００５１】
所望平面ＤＰに対応した２枚の放射線画像ＧＬ，ＧＲのシフト量について説明する。図６は２枚の放射線画像ＧＬ、ＧＲ上の位置と検出面１５ａ上の位置との関係を示す図である。放射線源１７は、図６の上図に示すように、乳房Ｍを介して検出面１５ａの中心位置Ａに向けて２つの撮影位置ＢおよびＣから放射線を照射する。ここで、２つの撮影方向のなす角度θ‘は、撮影角度θ１とθ２との組み合わせとする。図６の下図は撮影位置ＢおよびＣからの照射による２つの放射線画像ＧＬ、ＧＲを示している。
【００５２】
ここで、中心位置Ａを原点（０，０）とし、図６の上図において、左右方向をＸ方向、上下方向をＹ方向とする座標系を設定する。撮影位置Ｂの座標は（Ｌsinθ１，Ｌcosθ１）、撮影位置Ｃの座標は（-Ｌsinθ２，Ｌcosθ２）となる。ここで、乳房Ｍ内の所望平面ＤＰ上の点を点Ｏ（０，ｙ）とする。
【００５３】
次に２つの撮影位置ＢおよびＣからの放射線を照射によって位置Ｏを検出する検出面１５ａ上の位置ＤおよびＥを算出する。上記の座標系における、撮影位置Ｂと位置Ｏを結ぶ直線および撮影位置Ｃと位置Ｏとを結ぶ直線は下記の式（１）および（２）で表わされる。
【数１】
2012105954.tif 000003
【００５４】
式（１）および（２）の直線において、Ｙ座標値が０となる位置、すなわち位置Ｏを検出する検出面１５ａ上の位置ＤおよびＥは下記のとおりである。
【数２】
2012105954.tif 000004
【００５５】
これにより、放射線画像ＧＬを
【数３】
2012105954.tif 000005
だけ、放射線画像ＧＲを
【数４】
2012105954.tif 000006
だけ、それぞれＸ方向にシフトすることにより、２つの放射線画像ＧＬ、ＧＲにおいて、位置Ｏに対応する点ＯＬ、ＯＲが重なって所望平面ＤＰ上にクロスポイントＣＰを存在させることができる。
【００５６】
次に所望平面ＤＰの位置について説明する。所望平面ＤＰの位置は、乳房Ｍの奥側の圧迫面ＢＰからの距離であり、乳房の厚みＤに係数ｋ（０≦ｋ≦１）を乗算させて設定される。本実施形態では、ｋ＝０．５、すなわち手前側の圧迫面ＦＰと奥側の圧迫面ＢＰとの中間平面ＭＰが所望平面ＤＰとしてデフォルトで設定されている。
【００５７】
付帯情報取得部４４が画像ファイルＧＦから２つの撮影方向なす角度θ’と乳房の厚みＤのそれぞれの情報を取得し、視差調整部４６が、中間平面ＭＰである所望平面ＤＰが表示画面ＳＰの位置に来るよう、０．５Ｄ＋ｄの距離だけ乳房Ｍが後方に移動する２つの放射線画像ＧＬ，ＧＲのシフト量を算出して両画像の視差を調整する。
【００５８】
また、視差調整部４６は、デフォルト状態の所望平面ＤＰ（ＭＰ）を使用せずに、記憶部４６に記憶されている各ユーザに対応した所望平面ＤＰを用いて視差を調整してもよい。この記憶部４６は、ユーザ毎に係数ｋの値を記憶するものでものよいし、奥側の圧迫面ＢＰ（ｋ＝０）、手前側の圧迫面ＦＰ（ｋ＝１）および中間平面（ｋ＝０．５）のいずれかを記憶するものであってもよい。なお、奥側の圧迫面ＢＰ、手前側の圧迫面ＦＰを所望平面ＤＰとする場合の乳房Ｍの後方への移動量は、それぞれｄ、ｄ＋Ｄとなる。
【００５９】
次いで、本実施形態において行われる処理について説明する。図７は本実施形態において行われる処理を示すフローチャートである。制御部４３が乳房画像撮影装置１０に放射線画像ＧＬ，ＧＲの配信要求を行い（ステップＳＴ１）、放射線画像ＧＬ、ＧＲを含む画像ファイルＧＦを受信する（ステップＳＴ２）。
【００６０】
付帯情報取得部４４が画像ファイルＧＦから２つの撮影方向がなす角度θ’および乳房の厚みＤの情報を取得する（ステップＳＴ３）。視差調整部４６が、所望平面ＤＰの位置、２つの撮影方向がなす角度θ’および乳房の厚みＤの情報に基づいて、２枚の放射線画像ＧＬ，ＧＲの視差を調整する（ステップＳＴ４）。表示制御部４７がモニタ４２に視差調整された２枚の放射線画像ＧＬ，ＧＲを表示させることにより、乳房Ｍが立体表示されて処理が終了する。
【００６１】
以上の述べたとおり、本発明の実施形態である乳房画像表示装置４０およびその表示方法によれば、コンピュータ４１の付帯情報取得部４４が、２枚の放射線画像ＧＬ，ＧＲが撮影された際の２つの撮方向のなす角度θ’と乳房の厚みＤを取得し、視差調整部４６が、立体表示された乳房Ｍをユーザが観察する際に、乳房Ｍの奥行方向の位置について、所望平面ＤＰがモニタ４２の表示画面ＳＰの位置にあるとしてユーザが認識するよう、所望平面ＤＰの位置、２つの撮影方向のなす角度θ’および乳房の厚みＤに基づいて、２枚の放射線画像間の視差を調整することにより、ユーザは、圧迫された乳房の厚みＤに対応した乳房Ｍ内の所望平面ＤＰが表示画面ＳＰの位置にあるとして乳房Ｍを立体視できる。
【００６２】
すなわち圧迫された乳房の厚みＤが大きいほど、乳房Ｍはデフォルト状態の位置から大きく後方に移動した位置、乳房の厚みＤが小さければ、デフォルト状態の位置からわずかに移動するため、圧迫された乳房の厚みＤのバラツキによる奥行感の変化が低減されて観察者の疲労を軽減できる。
【００６３】
また、本発明の実施形態である乳房画像表示装置４０によれば、各ユーザに対応したそれぞれの所望平面ＤＰを記憶する記憶部４５を備えることにより、各ユーザが最も疲労が少ないと感じる奥行感で乳房Ｍを立体表示できるため、観察者の疲労をより軽減できる。
【００６４】
なお、乳房画像表示装置４０は圧迫された乳房の厚みＤに関わらず、奥側の圧迫面ＢＰを所望平面ＤＰとすることも可能である。
【符号の説明】
【００６５】
θ’        ２つの撮影方向のなす角度
ＢＰ        奥側の圧迫面
Ｄ          乳房の厚み
ＤＰ        所望平面
ＦＰ        手前側の圧迫面
ＧＦ        画像ファイル
ＧＬ、ＧＲ  放射線画像
Ｍ          乳房
ＭＰ        中間平面
ＳＰ        表示画面
４０        乳房画像表示装置
４１        コンピュータ
４２        表示部
４４        付帯情報取得部
４６        視差調整部
【図１】
2012105954.tif 000007
【図２】
2012105954.tif 000008
【図３】
2012105954.tif 000009
【図４】
2012105954.tif 000010
【図５】
2012105954.tif 000011
【図６】
2012105954.tif 000012
【図７】
2012105954.tif 000013